(57)【特許請求の範囲】
【請求項１】
フード１と、送風機４を備えたレンジフードであって、
前記フード１に、送風機４の吸込口４１に人の手が入らないようにする防護部材５を取り外し可能に取り付け、
該防護部材５の取り外しを検知する検知手段６と、送風機４が駆動していることを検出する検出手段と警告器８を設け、
前記検出手段が送風機４の駆動を検出している状態で検知手段６が検知信号を出力したときに、前記警告器８が作動し、前記検出手段が送風機４の駆動を検出していない状態で検知手段６が検知信号を出力したときは前記警告器８が作動しないようにしたことを特徴とするレンジフード。
【請求項２】
前記送風機４のモータ４ｃに通電制御する操作スイッチ7を設けて送風機駆動検出手段とし、
前記検知手段６を、防護部材５を取り外したときにはＯＮし、取り付けたときにはＯＦＦするリミットスイッチ６０とし、
前記警告器８を通電すると鳴動するブザー８０とし、
前記リミットスイッチ６０とブザー８０を、前記操作スイッチ７とモータ４ｃを接続する回路に、モータ４ｃに通電されている状態でリミットスイッチ６０がＯＮするとブザー８０に通電され、かつモータ４ｃに通電されていない状態でリミットスイッチ６０がＯＮしてもブザー８０に通電されないように接続した請求項１記載のレンジフード。
【請求項３】
前記防護部材５は、整流板５０、フィルター５６、通気用開口５７ａを有した覆板５７のいずれか１つである請求項１又は２記載のレンジフード。
【発明の詳細な説明】
【技術分野】
【０００１】
本発明は、調理器具の周囲に設置されて調理により発生する油煙などの調理ガスを捕集して屋外等へ排気するレンジフードに関する。
【背景技術】
【０００２】
近年、台所用換気装置としてプロペラ式換気扇に変わり、調理器具の周囲に配置されて調理により発生する油煙などの調理ガスを、内蔵する送風機によりフード内部へと捕集し、屋外等へ排気、あるいは各種フィルターにより清浄化した空気を室内へと吹き出すレンジフードが提案されている。
例えば、特許文献１に開示したように、送風機を備えたフードに整流板を設け、フードの内面と整流板との間の隙間を通して油煙などの調理ガスを吸い込んで捕集し、屋外に排気するレンジフードが提案されている。
【先行技術文献】
【特許文献】
【０００３】
【特許文献１】特許第４４０９７１１号公報
【発明の概要】
【発明が解決しようとする課題】
【０００４】
前述した従来のレンジフードは、フード内部や送風機のファンに調理ガス中の油脂分などの油汚れが付着するので、フード内部を人が手作業で清掃することがある。
前述した送風機のファンをフード内部から取り出しできるレンジフードの場合は、フード内部のみではなく、送風機のファンを取り外してフード内部から取り出して清掃することがある。
また、対面式キッチンやアイランド式キッチンなどの普及により、リビングとキッチンが一連にレイアウトされることが多くなっていることから、レンジフードのフード内部や送風機のファンに油汚れが付着しているなどすると、油の臭いがリビング側へと伝わってしまうという悪さからもレンジフードのフード内部の清掃や送風機のファンをフード内部から取り出して清掃する機会が増えている。
前述した従来のレンジフードにおいては、整流板を取り外し、その状態でフードの内部を人が手で拭いて清掃したり、送風機のファンをフード内部から取り出してシンク等で洗うことで清掃する。このレンジフードはフィルターを備えているので、整流板とともにフィルターを取り外して清掃したり、ファンを取り出しする。
しかしながら、前述のようにフード内部を清掃したり、送風機のファンを取り出しするときに、送風機が駆動していると人の手が回転しているファンに触れることがあるので、フード内部を清掃したり、ファンを取り出すときには、コンセントを抜くなどの操作により送風機を停止操作するようにしているが、その送風機の停止操作を忘れてしまった場合には危険が生じる可能性があった。
特に、前述したようにリビングとキッチンが一連にレイアウトされることが多いことから、近年のレンジフードは送風機の駆動時に発生する音を抑制しているので、送風機が駆動していることに気がつかず、送風機を停止操作せずにフード内部の清掃作業やファンの取り出し作業をすることがあり、危険が生じる可能性があった。
【０００５】
本発明の目的は、送風機が駆動している状態で、フード内部の清掃や送風機のファンをフード内部から取り出ししようとした際に警告を発し、送風機が駆動している状態でフード内部の清掃作業やファンの取り出し作業をすることを防止できるようにしたレンジフードとすることである。
【課題を解決するための手段】
【０００６】
本発明は、フード１と、送風機４を備えたレンジフードであって、
前記フード１に、送風機４の吸込口４１に人の手が入らないようにする防護部材５を取り外し可能に取り付け、
該防護部材５の取り外しを検知する検知手段６と、送風機４が駆動していることを検出する検出手段と警告器８を設け、
前記検出手段が送風機４の駆動を検出している状態で検知手段６が検知信号を出力したときに、前記警告器８が作動し、前記検出手段が送風機４の駆動を検出していない状態で検知手段６が検知信号を出力したときは前記警告器８が作動しないようにしたことを特徴とするレンジフードである。
【０００７】
本発明においては、前記送風機４のモータ４ｃに通電制御する操作スイッチ7を設けて送風機駆動検出手段とし、
前記検知手段６を、防護部材５を取り外したときにはＯＮし、取り付けたときにはＯＦＦするリミットスイッチ６０とし、
前記警告器８を通電すると鳴動するブザー８０とし、
前記リミットスイッチ６０とブザー８０を、前記操作スイッチ７とモータ４ｃを接続する回路に、モータ４ｃに通電されている状態でリミットスイッチ６０がＯＮするとブザー８０に通電され、かつモータ４ｃに通電されていない状態でリミットスイッチ６０がＯＮしてもブザー８０に通電されないように接続することができる。
【０００８】
このようにすれば、モータ４ｃに通電されているときに防護部材５を取り外すことで、リミットスイッチ６０がＯＮしてブザー８０が鳴動するので、使用者がフード内部の清掃作業やファンの取り出し作業をしようとした際に、ブザー６０の音で使用者が送風機４が駆動していることを知ることができる。
【０００９】
本発明においては、前記防護部材５は、整流板５０、フィルター５６、通気用開口５７ａを有した覆板５７のいずれか１つとすることができる。
【発明の効果】
【００１０】
本発明によれば、送風機が駆動している状態で、防護部材５を取り外しすると警告器８が警告を発するから、フード内部の清掃作業やファンの取り出し作業をしようとした使用者は、その警告器８の警告によって送風機が駆動していることを知ることができる。
したがって、送風機が駆動している状態でフード内部の清掃作業やファンの取り出し作業をすることを防止できる。
【図面の簡単な説明】
【００１１】
【図１】本発明の第１の実施の形態を示すレンジフードの縦断面図である。
【図２】図１のＡ−Ａ断面図である。
【図３】図１において整流板を下向き姿勢とした状態の縦断面図である。
【図４】図２において整流板を取り外した状態の断面図である。
【図５】モータ駆動回路図である。
【図６】本発明の第２の実施の形態を示すレンジフードの断面図である。
【図７】本発明の第３の実施の形態を示すレンジフードの断面図である。
【図８】本発明の第４の実施の形態を示すモータ駆動回路図である。
【図９】本発明の第５の実施の形態を示すモータ駆動回路図である。
【図１０】本発明の第６の実施の形態を示すモータ駆動回路図である。
【発明を実施するための形態】
【００１２】
本発明の第１の実施の形態を図１〜図５に基づいて説明する。
フード１は、フード本体１ａと送風機収納体１ｂを備え、そのフード本体１ａは外郭２と内郭３を有している。
この外郭２は、上面板２０と周面板２１で下面が開口した箱形状で、その上面板２０に開口部２２が形成してあると共に、周面板２１の周縁下端部には内向きの被取付フランジ２３が設けてある。
前記内郭３は、上面板３０と周面板３１で下向きの皿形状で、その上面板３０の孔３２の周縁に筒体３３が設けてあると共に、周面板３１の周縁下端部に外向きの取付フランジ３４が設けてある。
前記内郭３の筒体３３が外郭２の開口部２２に嵌合すると共に、取付フランジ３４を被取付フランジ２３に着脱自在に連結して外郭２と内郭３を連結してフード本体１ａとしてある。
前記内郭３の下面がフード１の内部である。
【００１３】
前記送風機収納体１ｂは入口側開口２４と出口側開口２５を有した箱形状で、その内部に送風機４が設けてある。
前記送風機収納体１ｂは、その入口側開口２４が筒体３３に嵌め込むように外郭２の上面板２０に取り付けられる。
【００１４】
前記送風機４は、ケーシング４ａ内にファン４ｂを設けると共に、そのケーシング４ａに設けたモータ４ｃでファン４ｂを回転駆動するようにしてある。
前記ケーシング４ａに連通した吐出部４０が出口側開口２５に嵌合し、そのケーシング４ａに形成した吸込口４１が前記筒体３３（孔３２）と連通し、その筒体３３から吸込口４１に手を入れてロック部材４２を弛めることでモータ４ｃの回転軸４３とファン４ｂを分離できると共に、そのロック部材４２を締め付けることでモータ４ｃの回転軸４３とファン４ｂを連結できる。
このようであるから、フード１から送風機４のファン４ｂをフード１内部から容易に取り出しすることができる。
【００１５】
前記フード１、例えばフード本体１ａの内郭３には、送風機４の吸込口４１の上流側の位置、例えば吸込口４１と間隔を置いて対峙し、人の手が吸込口４１に入らないようにするための防護部材５、例えば整流板５０が取り外し可能に取り付けてある。
前記内郭３には整流板５０を取り外したことを検知する手段６、例えばリミットスイッチ６０が取り付けてある。
このリミットスイッチ６０は、整流板５０がフード１に取り付けてある状態ではＯＦＦで、整流板５０をフード１から取り外した状態ではＯＮで、取り外し検知信号を出力する。
前記フード１には操作スイッチ７と警告器８が設けてある。例えば、外郭２の周面板２１の前面に操作スイッチ７と警告器８が設けてある。警告器８はブザー８０としてある。
【００１６】
前記操作スイッチ７は図５に示すように送風機４のモータ４ｃに通電制御するもので、送風機が駆動していることを検出する手段である。
この操作スイッチ７の出力側とモータ４ｃを接続する回路に、前記リミットスイッチ６０とブザー８０が接続され、操作スイッチ７をＯＮしてファン４ｃに通電しているとき（つまり、送風機駆動検出手段が検出信号を出力しているとき）にリミットスイッチ６０がＯＮするとブザー８０が鳴動するようにしてある。
【００１７】
このようであるから、送風機４を駆動してファン４ｂが回転している状態で、フード１内部の清掃作業や送風機４のファン４ｂの取り出し作業をすべく、使用者が整流板５０を取り外しするとリミットスイッチ６０がＯＮし、ブザー８０が鳴動して、前述の作業をしようとしている使用者に、送風機４が駆動状態でファン４ｂが回転していることを知らせるための警告を発する。
したがって、送風機４が駆動している状態でフード内部の清掃作業やファンの取り出し作業をすることを防止できる。
【００１８】
前述の使用者は、警告によって送風機４が駆動していることを知り、操作スイッチ７を停止操作して送風機４を停止、つまりモータ４ｃに通電しないようにしてから、作業を行う。
このようであるから、モータ４ｃに通電されないので、整流板５０を取り外し、リミットスイッチ６０がＯＮしてもブザー８０が鳴動することがない。
【００１９】
前記整流板５０の取り付けを説明する。
前記整流板５０は平板５１の周縁に立上り片５２を設けた形状で、その立上り片５２の後側５２ａに支持軸５３が横向きに設けてある。
前記内郭３の周面板３１の後側３１ａには支持片５４が取り付けてあり、この支持片５４の先端部に前記支持軸５３が上下方向に回動自在で、かつ着脱自在に支持してある。
これにより、整流板５０は図１に示す取り付け姿勢と、図３に示す下向き姿勢とに亘って上下に回動自在であると共に、その下向き姿勢において支持軸５３を支持片５４の先端部から外すことで整流板５０を取り外しできる。
【００２０】
前記内郭３の上面板３０における前部寄りの左右両側に支持部材３５が設けてあると共に、整流板５０の平板５１の前部寄り左右両側に被支持部材５５が設けてあり、この被支持部材５５を支持部材３５で支持することで整流板５０が取り付け姿勢に支持され、その支持を解除することで整流板５０を下向き姿勢に回動できるようにしてある。
【００２１】
前記支持部材３５は、ブラケット３５ａと、このブラケット３５ａに設けた支持ピン３５ｂ、ばねケース３５ｃと、このばねケース３５ｃと支持ピン３５ｂとの間に設けたばね３５ｄを有し、その支持ピン３５ｂがばね３５ｄで支持位置に保持してある。
前記被支持部材５５は、ブラケット５５ａに支持穴５５ｂを形成したもので、整流板５０を下向き姿勢から取り付け姿勢に向けて回動することで、ブラケット５５ａで支持ピン３５ｂを押し、その支持ピン３５ｂが支持穴５５ｂに嵌まり合うことで被支持部材５５が支持部材３５に支持され取り付け姿勢に支持する。その支持ピン３５ｂをばね３５ｄに抗して押すことで支持穴５５ｂから抜き出すことで被支持部材５５の支持が解除され、下向き姿勢に回動することができる。
【００２２】
前記リミットスイッチ６０は、内郭３の上面板３０の上面における前部寄り左右一側に取り付けてあり、その作動杆６１が上面板３０の孔３６から下方に突出し、前記被支持部材５５、例えばブラケット５５ａの上横片５５ｃと対峙している。
そして、整流板５０が取り付け姿勢のときには図２に示すように、ブラケット５５ａの上横片５５ｃが作動杆６１を押し上げてリミットスイッチ６０をＯＦＦする。
整流板５０が下向き姿勢又は取り外したときには図４に示すように、ブラケット５５ａの上横片５５ｃが作動杆６１と離れ、作動杆６１は下方に移動してリミットスイッチ６０はＯＮとなる。
【００２３】
前述のようにリミットスイッチ６０を取り付けることで、その作動杆６１のみが内郭３の上面板３０の下面、つまりフード１の内部に突出するので、リミットスイッチ６０がフード１内部の油煙の汚れを阻害することがない。
【００２４】
前記操作スイッチ７は、図５に示すように強運転スイッチ７０、中運転スイッチ７１、弱運転スイッチ７２、切スイッチ７３、照明スイッチ７４等を備え、強・中・弱スイッチ７０，７１，７２は電源７５と送風機４のモータ４ｃを断続するもので、その電源７５と強・中・弱運転スイッチ７０，７１，７２の出力側とモータ４ｃとの間に前記リミットスイッチ６０とブザー８０が直列に設けてある。
前記照明スイッチ７４は照明具７６に通電するものである。
前記切スイッチ７３はＯＮとなっている運転スイッチをＯＦＦとする。
【００２５】
このようであるから、いずれかの運転スイッチがＯＮの状態、つまりモータ４ｃに通電され送風機４が駆動している状態（送風機駆動検出手段が送風機駆動を検出しているとき）で、整流板５０を下向き姿勢又は取り外しするとリミットスイッチ６０がＯＮしてブザー８０に通電されて鳴動する。
【００２６】
この実施の形態では、フード本体１ａと送風機収納体１ｂでフード１としてあるが、フード本体１ａのみでフード１とし、送風機４の吐出部４０をダクト等を介して屋外に排気するようにしても良い。
また、フード本体１ａを外郭２のみで構成しても良い。
【００２７】
前述の実施の形態では、内郭３の内面（フード１の内面）と整流板５０との隙間から流入した油煙等が送風機４の吸込口４１に直接吸い込まれるようにしたが、その吸込口４１の上流側、例えば筒体３３にフィルターを設けても良い。
この場合にはフィルターを取り外してファン４ｂを取り出しする。
【００２８】
次に、本発明の第２の実施の形態を図６に基づいて説明する。
この実施の形態は、防護部材５をフィルター５６としたことが、前述の実施の形態と相違し、他の構成は同様である。
フード１は上面板１ａと周面板１ｂで下面が開口した箱形状で、そのフード１の内部には上仕切板１ｃと下仕切板１ｄが設けてある。
この上仕切板１ｃと下仕切板１ｄとに亘ってフィルター５６を取り外し可能に取り付けてフード１内に送風機収納室１ｅを形成し、この送風機収納室１ｅに送風機４が取り付けてある。
この送風機４の吸込口４１が前記フィルター５６と対峙し、そのフィルター５６が前述の防護部材５である。このフィルター５６はグリスフィルターと呼ばれるものである。
【００２９】
前記上仕切板１ｃには下向き凹部１０、下仕切り板１ｄには上向き凹部１１が相対峙してそれぞれ形成してある。
前記フィルター５６は、その上部が前記下向き凹部１０に嵌まり込むと共に、下部が上向き凹部１１に嵌まり込むことで取り付けられ、上向き凹部１１の底部に設けた弾性材１２で押し上げられて上部が下向き凹部１０の底部に接していると共に、フィルター５６を弾性材１２に抗して押し下げると上部が下向き凹部１０から外れ、フィルター５６の上部を手前側に移動して斜め上方に持ち上げることで下部が上向き凹部１１から抜け出すようにしてある。
このようであるから、フィルター５６を下向き凹部１０と上向き凹部１１とに亘って上下けんどん式に取り付け、取り外しできる。
【００３０】
前記上仕切板１ｃにリミットスイッチ６０が取り付けられ、その作動杆６１が下向き凹部１０内に突出している。
そして、フィルター５６を取り付けたときには作動杆６１がフィルター５６で押し上げられてリミットスイッチ６０がＯＦＦし、フィルター５６を取り外したときには作動杆６１が下向き凹部１０内に突出してリミットスイッチ６０がＯＮする。
【００３１】
このようであるから、リミットスイッチ６０を図５に示すようにモータ４ｃの通電回路に設けることで、フィルター５６を取り付けたときには操作スイッチ７を操作することでレンジフードを運転制御でき、送風機４が駆動している状態でフィルター５６を取り外したときにはリミットスイッチ６０がＯＮしてブザー８０が鳴動するので、フード１内部の清掃作業やファン４ｂをフード１から取り外す作業をすることを防止できる。
【００３２】
また、フィルター５６を取り付けた状態では、弾性材１２でフィルター５６が押し上げられ、それによってリミットスイッチ６０の作動杆６１を押し上げて確実にＯＦＦすることができる。
【００３３】
次に、本発明の第３の実施の形態を図７に基づいて説明する。
フード１は、上面板１ａと、周面板１ｂと、周面板１ｂの下部周縁に沿って設けた環状の下部内向板１ｆとで、下部に吸込み用開口１ｇを有する形状である。
この下部内向板１ｆに覆板５７を取り外し可能に取り付けてある。例えばねじ５８で取り付けてある。
この覆板５７は前記吸込み用開口１ｇを閉塞すると共に、送風機４の吸込口４１と対峙し、その吸込口４１に人の手が入り込むことがないように保護し、覆板５７は前述の防護部材５である。
【００３４】
前記覆板５７の前後・左右縁寄りにはスリット形状の通気用開口５７ａが形成され、送風機４を駆動すると通気用開口５７ａから油煙等の調理ガスをフード１内部に捕集し、屋外等に排気する。
図７に示すレンジフードにおいては、フード１の上面板１ａの下面、つまりフード１の内面に調理ガスが衝突するバッフルプレート（図示せず）を設け、そのバッフルプレートの表面に油汚れ等が付着するようにしてある。このバッフルプレートは覆板５７の上面に設けることもできる。
【００３５】
前記フード１の下部内向板１ｆにリミットスイッチ６０が取り付けてある。このリミットスイッチ６０の作動杆６１は覆板５７に接することでリミットスイッチ６０がＯＦＦし、その作動杆６１が覆板５７と離れるとリミットスイッチ６０がＯＮする。
このリミットスイッチ６０は図５に示すと同様に電源とモータ４ｃを接続する回路に設けられ、その回路を連通、遮断する。
【００３６】
このようであるから、覆板５７をフード１に取り付けた状態ではリミットスイッチ６０がＯＦＦし、操作スイッチ７を操作することでモータ４ｃが回転したり、停止するので、レンジフードを運転制御することができる。
前記覆板５７を取り外しすると、リミットスイッチ６０がＯＮするので、操作スイッチ７を操作してモータ４ｃに通電している状態で、覆板５７を取り外しするとブザー８０が鳴動するので、送風機４が駆動している状態でフード１内部の清掃作業やファン４ｂの取り出し作業をすることを防止できる。
【００３７】
前述の各実施の形態では検知手段６をリミットスイッチ６０としたが、これに限ることはなく、各種のスイッチ、例えばマイクロスイッチ、近接スイッチ、マグネットスイッチ、発光器と受光器を有した光電式スイッチなどを用いることができる。
前述の警告器８はブザー８０に限ることはなく、ランプの点滅や音声（例えば、送風機駆動中等）を発するものでも良い。
【００３８】
前述の各実施の形態では、操作スイッチ７を送風機駆動検出手段とし、運転スイッチをＯＮしてモータ４ｃに通電しているときを送風機駆動検出しているときとし、運転スイッチをＯＦＦしてモータ４ｃに通電していないときを送風機駆動を検出しないときとしたが、これに限ることはない。
【００３９】
例えば図８に示すように操作スイッチ７に運転スイッチと連動してＯＮ，ＯＦＦする連動スイッチ７７を設け、この連動スイッチ７７の出力側にリミットスイッチ６０とブザー８０を直列に接続する。この連動スイッチ７７がＯＮでリミットスイッチ６０がＯＮのときにブザー８０に通電し、連動スイッチ７７がＯＦＦのときにはブザー８０に通電しないようにする。
つまり、連動スイッチ７７がＯＮのときが送風機駆動を検出しているときで、ＯＦＦのときが送風機駆動を検出しないときである。
【００４０】
前記送風機駆動検出手段はモータ４ｃの回転を検出する回転センサとしても良い。この回転センサとしては回転数を検出する回転計、タコジェネレータなどが用いられる。
例えば、図９に示すようにモータ４ｃの回転を検出する回転センサ７８を設け、この回転センサ７８で検出したモータ回転をコントローラ７９に入力する。
前述した電源回路の操作スイッチ７の入力側に、補助スイッチ６８を介してブザー８０とリミットスイッチ６０を直列に接続する。
前記回転センサ７８が回転を検出しているときが送風機駆動を検出しているときで、そのときにはコントローラ７９は補助スイッチ６８をＯＮする。
前記回転センサ７８が回転を検出しないときが送風機駆動を検出しないときで、そのときにはコントローラ７９が補助スイッチ６８をＯＦＦする。
【００４１】
このようにすれば、モータ４ｃが完全に停止した後に補助スイッチ６８がＯＦＦしてブザー８０が停止するので、ブザー８０の停止後にフード１内部を清掃作業したり、ファン４ｂを取り出す作業をするようにすれば、ファン４ｂが完全に停止しているので、そのファン４ｂに人の手が触れても問題はない。
【００４２】
前述の実施の形態では、操作スイッチ７の運転スイッチで電源とモータ４ｃを接続してモータ４ｃに通電制御したが、これに限ることはない。
例えば、図１０に示すように、操作スイッチ７からの信号をコントローラ９に送り、その信号に基づいてコントローラ９がモータ４ｃに通電制御する制御方式のレンジフードとし、送風機駆動検出手段９ａの検出信号とリミットスイッチ６０のＯＮ信号をコントローラ９に送り、そのコントローラ９でブザー８０に通電制御するようにしても良い。
【００４３】
前記送風機駆動検出手段９ａが操作スイッチ７の運転スイッチのＯＮ，ＯＦＦである場合には、リミットスイッチ６０のＯＮ信号が入力されているときにコントローラ９にＯＮ信号が入力されたときにブザー８０に通電し、ＯＦＦ信号が入力されたらブザー８０に通電しなくする。
【００４４】
前記送風機駆動検出手段９ａが連動スイッチ７７の場合には、その連動スイッチ７７のＯＮ信号がコントローラ９に入力されたときにブザー８０に通電し、ＯＦＦ信号が入力されたらブザー８０に通電しなくする。
【００４５】
前記送風機駆動手段９ａが回転センサ７８の場合には、リミットスイッチ６０のＯＮ信号が入力されているときにその回転検出信号がコントローラ９に入力されたときにブザー８０に通電し、回転検出信号が入力されないときにブザー８０に通電しなくする。
【符号の説明】
【００４６】
１…フード、４…送風機、４ｂ…ファン、４ｃ…モータ、５…防護部材、６…ロック機構、７…操作スイッチ、４１…吸込口、５０…整流板、５６…フィルター、５７…覆板、５７ａ…通気用開口、６０…リミットスイッチ、８０…ブザー。
【図１】
0005777968.tif 000002
【図２】
0005777968.tif 000003
【図３】
0005777968.tif 000004
【図４】
0005777968.tif 000005
【図５】
0005777968.tif 000006
【図６】
0005777968.tif 000007
【図７】
0005777968.tif 000008
【図８】
0005777968.tif 000009
【図９】
0005777968.tif 000010
【図１０】
0005777968.tif 000011